(57)【要約】本発明はユーザが切り替え動作と設定動作と他の入力動作及び選択動作を実施するための入力装置を対象とする。この入力装置は特に例えば車両領域内の電子機器及び他の制御装置におけるスイッチ、スライダ、タッチスクリーンの形態で設けられている。本発明はユーザにとって有利に特に直感的に容易に操作可能な入力インタフェースを、非常に自由な設計で作成することを可能にする解決策を提供するという課題に基づく。本発明の課題はユーザ側で行われる入力動作に応じて切り替え信号、設定信号、又は選択信号を生成する入力表面を提供する入力装置で、入力装置は各信号の生成のために設けられる入力位置を画定する少なくとも１つの入力手段と、入力位置の領域内のユーザ側で行われる入力動作を検出する評価回路を備え、入力手段が触覚フィードバックを提供し評価回路が入力手段が存在する検出ゾーンを画定するように構成されている入力装置により解決される。
2009535724.tif 000002
【特許請求の範囲】
【請求項１】
ユーザ側で行われる入力動作に応じて切り替え信号、設定信号、又は選択信号を生成する、入力表面を提供する入力装置であって、
各信号の生成のために設けられる入力位置を画定する少なくとも１つの入力手段と、
前記入力位置の領域内のユーザ側で行われる前記入力動作を検出する評価回路とを備え、
前記入力手段は触覚フィードバックを提供するように構成されており、
前記評価回路は前記入力手段が存在する検出ゾーンを画定することを特徴とする入力装置。
【請求項２】
前記検出ゾーン内で、前記入力手段の操作中にユーザによって行われる動きが検出されることを特徴とする請求項１に記載の入力装置。
【請求項３】
動きの推移が分析され、前記動きの推移から入力命令が導出されることを特徴とする請求項１又は請求項２に記載の入力装置。
【請求項４】
前記検出ゾーンは、内部で電界変化を検出することができるゾーンとして生成されていることを特徴とする請求項１から請求項３のまでのいずれか１項に記載の入力装置。
【請求項５】
前記評価回路は、コンデンサシステムであって、前記コンデンサシステムの容量又は電位が前記ユーザが前記検出ゾーン内に入ることによって影響を受けるコンデンサシステムを備えること、並びに、前記コンデンサシステムの前記容量又は前記電位の変化は回路技術的に検出及び評価されることを特徴とする請求項１から請求項４までのいずれか１項に記載の入力装置。
【請求項６】
前記評価回路と共に、複数の非接触型操作要素が１つの操作領域内に配置されていることを特徴とする請求項１から請求項５までのいずれか１項に記載の入力装置。
【請求項７】
前記評価回路を介して、１つ又は複数の前記入力手段にそれぞれ特有の、前記入力手段の配置位置によって確定される識別情報が検出されることを特徴とする請求項１から請求項６までのいずれか１項に記載の入力装置。
【請求項８】
前記ユーザの前記入力手段への接近又は接触は、前記評価回路を介して検出され、回路信号の生成において考慮されることを特徴とする請求項１から請求項７までのいずれか１項に記載の入力装置。
【請求項９】
前記入力手段は、操作、特にスイッチ位置に応じて関数値（例えば操作値、回転角度値）を転送することを特徴とする請求項１から請求項８までのいずれか１項に記載の入力装置。
【請求項１０】
前記入力手段は接触せずにエネルギーを供給されることを特徴とする請求項１から請求項９までのいずれか１項に記載の入力装置。
【請求項１１】
前記入力手段は、センサ機能、例えば力測定又は温度測定を担うことができることを特徴とする請求項１から請求項１０までのいずれか１項に記載の入力装置。
【請求項１２】
前記入力手段は、触覚特性、例えばクリック音、機械的抵抗、物音等を有することを特徴とする請求項１から請求項１１までのいずれか１項に記載の入力装置。
【請求項１３】
前記入力手段は、電界を介して前記入力手段の照明用エネルギーを得ることを特徴とする請求項１から請求項１２までのいずれか１項に記載の入力装置。
【請求項１４】
前記入力手段は、接近又は接触時に光学的トリガ効果を引き起こすことができることを特徴とする請求項１から請求項１３までのいずれか１項に記載の入力装置。
【請求項１５】
それ自体で複数の入力手段を備える請求項１から請求項１４までのいずれか１項に記載の入力装置を備える電子機器用の操作パネル。
【請求項１６】
家庭用電化製品の構成要素を形成することを特徴とする請求項１５に記載の操作パネル。
【請求項１７】
請求項１から請求項１４までのいずれか１項に記載の入力装置を備える車両運転席。
【請求項１８】
前記入力手段を介して、座席調整、ミラー調整、換気口調整、オーディオ／ビデオ調整、及び／又はナビゲーションシステム調整が実行可能であることを特徴とする請求項１７に記載の車両運転席。
【請求項１９】
前記車両運転席がディスプレイ装置を備えること、及び前記ディスプレイ装置を介して切り替え動作、又は前記入力手段によってもたらすことができる切り替えオプションが視覚化されることを特徴とする請求項１８に記載の車両運転席。
【請求項２０】
乗員区別が行われ、各乗員のための切り替え命令割り当てが行われることを特徴とする請求項１９に記載の車両運転席。
【請求項２１】
前記乗員区別は、各前記乗員の手が接近しているときに、検出された軌跡に基づいて行われることを特徴とする請求項２０に記載の車両運転席。
【発明の詳細な説明】
【技術分野】
【０００１】
本発明は、ユーザが、切り替え動作と、設定動作と、他の入力動作及び選択動作とを実施するための入力装置を対象とする。
【背景技術】
【０００２】
このような入力装置は、特に、例えば車両領域内の電子機器及び他の制御装置上のスイッチ、スライダ、及びタッチスクリーンの形態で設けられている。
【０００３】
これらのタッチスクリーンは、機械／機器の柔軟な操作に向かう傾向の結果として生じた。タッチスクリーンの使用時、コンピュータスクリーン上に「仮想的なキー」が表示され、これらの仮想的なキーは、操作者がわずかに触れることによって操作することができる。キーの形態も位置も、そしてキーの操作機能もソフトウェアごとにプログラミング可能である。ここで、切り替え動作又は選択動作は、合成音によってユーザが識別可能であり得る。
【発明の開示】
【０００４】
本発明は、ユーザにとって有利に、特に直感的に容易に操作可能な入力インタフェースを、非常に自由な設計で作成することを可能にする解決策を提供するという課題に基づく。
【０００５】
本発明によれば、この課題は、請求項１に提示されている特徴を有する入力装置によって解決される。
【０００６】
これによって有利に、相互接続の構成を特別に変更する必要なく、複数の入力構造の構成と、要求に応じた当該入力構造の互いに対する配置とを形成することが可能になる。これによって、特に、標準構成要素として実施される基本回路を用いながら、入力表面の非常に多様な変形形態を作り出すことが可能になる。これによって、製品開発時間が短い現在の設計傾向に応えることが可能になる。
【０００７】
これによって有利には、人の進化と共に特に人の触覚も特別な様態で、すなわち詳細には、（人の脳の大部分によって制御される）手及び指が明確に且つ経験可能に日常業務を形成するように発達してきたという事情が考慮される。このようなものとしての「操作する人間」は、自身の環境と、自身が従事している対象とを、語の最も正しい意味で「把握する」ことができる。したがって、電気制御及び電子制御が可能な機械／機器において、本発明による操作要素によって、切り替え機能の他にさらに、魅力的な触覚体験を有利に実現することができる。
【０００８】
例えば販売分野での試みによって、商品情報のための、スクリーンを備えるタッチスクリーンシステムは制限された状態でしか消費者に受け入れられていないということが明らかになった。顧客は、シミュレートされた経験領域において商品についての情報を知らされるよりも商品に触れることの方を好むという事情を、本発明による概念によって特別に考慮することができる。本発明ではさらに、シミュレートされた触覚装置が保証する柔軟度が得られる。本発明によるキー及びスイッチ、回転要素は従来の概念とは異なり、もはや面倒な配線を必要とせず、エネルギーを供給し、幾度も外側領域、例えば機械のパネルから内部、例えば電子回路基板へと導く必要がない。多くの場合に水密（等）にすることがほとんどできない開口は、本発明による概念の適用においては省くことができる。
【０００９】
本発明による概念によって、キー及び他の操作要素を実際に物理的に形成して提供することが可能になるが、タッチシステムと同様の様態で柔軟に形成及び操作することが可能になる。これらの欠点を伴わずに、触覚操作体験に対する願望が特に有利に考慮される。
【００１０】
好ましくは、少なくとも１つのキー又はスイッチ又は他の操作要素は、操作面の外側において、ユーザがアクセスすることができるように設けられる。操作される機器の内部の電子回路はこのキーを検出ゾーンにリンクする。操作者がキーを操作するとき、これを切り替え動作、特にキー操作として定義して確定することができるように検出ゾーンの領域内の状態が変更される。これに基づいて、適切な評価回路が意図されている機能を実施することができる。
【００１１】
本発明は、例えばキー、スイッチ、ロッカースイッチ、スライドスイッチ及びスライド式制御装置、ロータリスイッチ又は回転式制御装置、回転輪、回転つまみ、ハンドル、グライドパッド、コンピュータマウス等のような全ての既知の接触可能で配線される操作要素の代替物を表す。
【００１２】
本発明の一態様によれば、複数のキーは同一の（又は他の）光源（複数可）によって照明可能であり、それによって例えば操作状態を提示することができる（オン／オフ、位置等）。ここで、操作要素は、少なくとも１つのセンサ機能、例えば、操作者などによる操作力又は保持力の測定を実行することができる。操作領域内には複数の電（又は電磁）界が存在し、これらの電（又は電磁）界は、電界エミッタ（電界点）から生じ、電気相互作用を互いの間で又は連続して実施する。このような電界内部に設けられる第１の本発明による操作要素は、設けられた後、これらの電界点のそれぞれに対して大抵異なる空間距離を有し、これらの電界点の点電荷は、電界に受信、転送、送信又は収集することができる。
【００１３】
本発明のさらなる詳細及び特徴は、図面に関連する以下の説明から明らかになる。
【発明を実施するための最良の形態】
【００１４】
図１は、ケーブルによって接続されていない、容量検出される操作要素が使用されている、切り替え命令を生成する本発明によるシステムの構成を具体的に説明する概略図を示す。距離に基づく異なる電圧レベル又は異なる周波数／位相に基づいて、このようなキーに、当該キーの配置位置に対応する電気値を割り当てることができる。このいわゆる「位置値」は、操作要素の触覚操作時に評価システムに送信することができる。これは、交流電（電磁）界の特性によって無線で行われる。送信された位置に対応して、評価装置は、テーブル（ルックアップテーブル）を用いて機能を切り替えることができる。当該機能は、導線によって接続されている１つのキーに直接対応することができる。
【００１５】
位置値の他に、さらに関数値又は状態値も送信することができる。
【００１６】
図２から見てとれるように、電（電磁）荷及び電（電磁）界のための放電点又は給電点が、回転軸から離隔している結合部（例えば「Ｌ」字状の金属ピン）に回転可能に配置されており、この放電点又は給電点の面が、例えば４つのエミッタ点（＝測定点）のうちの少なくとも１つのエミッタ点の方向に、他のエミッタ点の方向よりも近く指向することによって、ロータリスイッチにおいて各回転位置を送信することができる。異なる信号レベル及び／又は位相推移から、ロータリスイッチの位置を算出することができる。
【００１７】
人は、本発明による操作要素を操作するときに交流電圧回路を接地（グラウンド）するため、人の存在は特に重要である。この場合、物理的特性（高抵抗）に起因してわずかな電流のみが流れ、それによって危険をなくすことができる。しかし、この電流は依然として、操作される操作要素内で電圧を整流すると共に、ひいては例えばコンデンサを充電させるのに十分である。したがって、場合によっては操作要素内に収容される電子素子、例えば信号生成器、又はセンサ素子、又は照明装置に給電することができる。
【００１８】
図３は、ケーブルによって接続されていない、容量検出される操作要素が使用されている、切り替え命令を生成する本発明によるシステムの構成を具体的に説明するさらなる概略図を示す。このシステムにおいて、ユーザは、電界源と減結合部との間を橋絡し、ユーザの導電特性は、このユーザによって選択的に操作される操作要素を介して変更され、その結果、ユーザに印加される電気的事象が、操作要素と協同で展開される入力操作に関する情報を提供する。操作要素を例えば接地に対して逆方向に電界を介して充電して、このエネルギーを操作動作時に提供するか又は照明目的（同様に切り替え可能）に利用することも可能である。
【００１９】
図４に示されている変形形態によれば、例えば電界によって容量的に作用される、操作者の導電皮膚表面を介して、対応するエネルギー伝達を行うことができる。
【００２０】
図５から見てとれるように、本発明のために、例えば、人の四肢が操作要素に接近すると、この操作要素内に収容されているガスが光り始め、この発光効果が電気処理回路の起動を引き起こすようにフォトニクスの現象を利用することができる（この効果は、例えば、抵抗及びグロー球が備え付けられている、電源電圧の試験のための交流電圧テスタにおいても見ることができる。本発明との差異は、本発明がより高い周波数を使用し、したがって、接近静電容量が小さく且つ操作要素から離れていても光学的トリガ効果を提供することができるということにある）。発光効果は周波数依存性とすることもできる。
【００２１】
［第１の例示的な実施形態］
例えば合成樹脂（又は他の絶縁材料）から成る機器の操作スクリーン上で、外側の或る位置にスイッチのような第１の要素が設けられている。これは、その内部に、触覚フィードバックをシミュレートすることができる（スイッチ作動点、クリッカー）複数の素子を収容する。さらに、操作要素は交流電界のための結合面を含む。これらの交流電界は、操作される機器の内部から生じ、位置が互いに対して既知である複数の点によって放射される。第１の操作要素の結合面は、これらの電界を受信することができるが、転送することは（まだ）できない。転送は、切り替え動作を故意に開始するために人がこの操作要素に触れる場合に、第２の結合面によって行われる（図１）。そして一方、電界は異なって減衰され、これは、本発明による操作要素に対する電界の距離及び周波数に依拠する。このようにして、操作要素は自身の位置も「知る」。他方、この交流電界電荷の一部を整流すると共に、エネルギー蓄積装置（コンデンサ、ゴールドカップ、蓄電池等）内に蓄積することができ、それによって、操作要素内に含まれる電子回路に給電することができる。この電子回路は例えば特に変調器から成ることができ、この変調器は、操作要素の操作時に操作者によって閉じられる交流電圧回路にデータを変調すること（トランスポンダ原理）を可能にする。ここで、これらのデータは、例えば識別番号若しくは操作状態を送信するために操作要素自体から生じる場合があるか、又は操作要素に関連付けられているセンサから生じる場合があり、このセンサは操作状態を補足する値、例えば操作者の操作力又は保持力を算出することができる。
【００２２】
交流電圧回路内で「キルヒホッフの法則」が成り立つため、変調装置が例えば引き起こすことができるようなインピーダンス変化によって、他の位置で対応する電圧降下（例えばデータテレグラム）を観察することができ、この電圧降下は評価ユニットに送られる。その後、本発明によれば、位置信号、操作信号、及びセンサ信号から、処理装置内で結論を引き出すことができ、当該結論は、切り替えられる機能の形態で実現可能である（フィードバック）。実際にはタッチシステムであるが、操作者は、（触覚フィードバックを伴う）キー、スイッチ、又はレバー等の触覚操作によって切り替え機能を開始していると感じる。
【００２３】
図１は第１の可能な回路設計を示す。操作フィールドの角において、この操作フィールド内部で４つの電極に、高抵抗で発振器によって、異なる周波数又は位相の交流電圧信号が印加される。これらの周波数は交流電界（いわゆる点電荷）として周囲に放射される。電荷点又は「エミッタ点」とも呼ばれるこれらの４つの電極の内側又は外側において、決定可能な位置に本発明による操作要素が存在することができ、この操作要素は操作スクリーンの外側に設けられている。したがって、１つのみの無線の容量電荷結合が生じ得る。ただし、この電荷結合は本発明によるエミッタ点の円錐状の周囲領域内で生じ、その結果、これらのエミッタ点を比較的近くに並べて配置することもできる。ここで、操作要素の結合容量が接地されるならば、エミッタ点によって送信される信号のそれぞれに容量負荷がかけられるであろう。負荷の大きさは、各エミッタ点に対する距離にも依存する。縦方向負荷（Ｒ１〜Ｒ４）に沿って、例えば差動増幅器又は「差動ＡＤＣ」によってレベルの変化が測定可能になる。この効果は、接地の代わりに、数百ピコファラドの、接地に対する特定の容量（グラウンド容量）を有する人が回路を作動させる場合にも生じる。
【００２４】
本発明による数学を用いてレベル差を商に変換することが可能であり、それによってレベル強度を考慮の外に置くことができ、したがって、接地条件又は体の寸法が異なっていても機能が劣化することはない。
【００２５】
差を明白にするために、操作要素の内部において共振回路及び／若しくは吸収回路又は特別なフィルタによってこのレベル差をさらに劇的に形成することができる。
【００２６】
操作要素によって捕捉されるエネルギーによってこの操作要素内で、頻発する検出可能な（場合によってはデータ変調される）信号を交流電圧回路内に付加的に供給する発振器を作動させることも可能である。この信号は電磁的に放射することもでき、従来のトランスポンダシステムにおいて既知であるように読み取り装置によって受信及び処理することができる。したがって、本発明は、このようなものを用いて有利に通信することに適している。実際の触覚体験の質の向上が本発明の特色である。この体験の質は、材料の実施形態と、材料の互いに対する配置とにある。例えば、操作要素内に、操作時にガスを逃すか又は液体を迂回させる等を行うキャビティが存在することができる。また、マイクロスイッチにおけるオメガばねと同様に、スイッチ作動点がカチッという音を立てることができ（「クリッカー」）、それによって、この機械的感触が操作者の指の神経に伝えられる。
【００２７】
［さらなる有利な回路設計］
マイクロコントローラは、その出力において例えば４つの位相シフトされた信号を提供することができる（図６）。エミッタ電極の位相シフトは対角線の交角に対応し（例えば正方形の操作面の場合は９０度）、これによって、各面素における電流分岐は比較的一定である。図２。
【００２８】
測定抵抗又は抵抗性タッチ領域を介して、この交流電圧は電界エミッタに導かれる。直列共振回路を用いてレベルを上昇させることが可能である。もたらされる容量負荷は例えば、複数のエミッタからの距離が異なり得る本発明による操作要素に触れる人の指によって生成される。これによって、異なる容量負荷が生じ、これらの容量負荷は、関連する信号の各位相の期間中に測定可能である。
【００２９】
例えば、測定は、マイクロコントローラ内に存在している多チャネルＡＤＣによって行うことができ、それによって、多大な部品費用をかけずに本発明による特徴が実現される。コントローラの追加の入力によって、操作される要素から生じる信号を付加的に受信することが可能になる（切り替え位置、操作力等）。
【００３０】
接触によって供給を受ける複数のセンサトランスポンダを例えば平らなポリマーストリップ上に製造し、自動車ハンドル内に相並べて設けることができる。
【００３１】
運転者に交流電圧信号を印加することができ、この信号の発生源は、例えば座席、ドアパネル、中央コンソール、レッグルームとすることができる。ハンドルに接触するとき、容量結合が有効になる。本発明によるセンサストリップは、交流電圧を整流し、このエネルギーによって、（例えばポリマー電子素子の形態で）同様にストリップ上に存在する位置確定を行う信号生成器をオンにする。これらの信号は別の位置において評価することができ、運転者の皮膚を介して転送することも可能である（図２）。そして、供給交流電圧は、センサ信号によって変調される搬送波周波数として使用される。センサ信号は、運転者がどのように（且つどこで）ハンドルを触感（触覚）によって操作しているかに（又は運転者が膝で操作している場合にさえ）応じて、方法（例えばＰＷＭ、デューティサイクル等）によって変更することもできる。図７は、電子素子を備えるストリップセンサの回路を例示的に示す。供給電圧の整流後、これによって（例えばシュミットトリガインバータによって）ＲＣ発振器が駆動され、この発振器の抵抗成分及び／又は容量成分は、手による取り囲みと、ここで生じる触覚効果（例えば保持力）とに、結果的に生じる信号形態によって反応する。図８ａは可能な供給回路を示し、図８ｂは、測定されたレベルをＰＷＭとして出力する（図８ｃを参照されたい）評価電流回路を示す。
【００３２】
自動車内の操作コンソールは、異なり得る交流電圧信号を、運転者（左側エミッタ）又は同乗者（右側エミッタ）の脚に容量的に印加することができる（図９）。信号は、周波数、位相、又は変調において異なることができる。コンソール上には本発明による操作要素があり、この操作要素は操作時に、位置信号及び／又は関数値の他に、操作者を識別する交流電圧信号も評価装置に転送する。コンソール内の容量結合部は、信号を受信し、復号装置又は評価装置に転送することができる。操作要素を操作する者が誰なのか（運転者／同乗者の区別）を算出することのみが意図される場合、これらの回路は従来通りに配線及び給電することもできる。この場合、運転者又は同乗者を通じてもたらされる印加された交流電圧信号が、操作要素の切り替え位置に加えて評価される。
【００３３】
本発明によるロータリスイッチは、少なくとも１つの結合面を示すことができ、この結合面は回転軸からずれて配置されている（図２）。回転位置（角度）に応じて、結合面は、他のエミッタ点よりも幾つかのエミッタ点により近く存在する。これは、結果的に得られる位置信号がスイッチ位置に応じて確定可能に変化するということを意味する。同じことがスライドスイッチにも当てはまる。位置信号は好ましくは、操作者が触覚操作（接触）によって交流電圧回路を閉じるか若しくはこの回路に負荷をかけるか、又は印加された交流電圧を提供する場合にのみ生じる。
【００３４】
本発明による操作要素内に又は操作スクリーンにおいて、スイッチの状態／位置を（照明するか、閃光するか、又は微光を発することによって）光学的に示すことができる発光物質（例えばガス、ネオン、ＯＬＥＤ等）を提供することが可能である。手が接近しているとき、これらの物質は、結合容量が増大するため、自身の光度又は色を変更することができる。これは、例えば暗闇において操作要素を見つけることにも役立つ。フォトニック効果は周波数依存性とすることもできる。光学ＬＣＤフィルタによって、例えばこのフィルタの下にある蛍光塗料を可視にするか又は覆うこともできる。光効果は、操作スクリーンの内部においても、例えば光電子部品の起動のために利用することができる。機器内部における光点の位置を確認し、これによって操作要素を識別することも可能である。
【００３５】
操作要素は、例えば結合面としての抵抗性色塗装（又は他の平らな抵抗物質）によってスライド面（制御装置）としても設計することができる。指によって一面に触れることによって位置に応じた電圧降下が生じ、この電圧降下は本発明によれば操作変数として評価することができる。スライド面は、操作スクリーンの内部又は外部において、この操作スクリーン上に設けることができる。実施形態に応じて、１次元、２次元、又は３次元の操作が可能である。
【００３６】
本発明による操作要素は、透明な材料及び／又はフラットスクリーン上に設けることが可能であり、これは体験の質をさらに向上させる。
【００３７】
本発明によれば、さらに圧電効果が操作要素内で利用可能であり、それによって、位置信号又は制御値又は発光効果が増大する。
【００３８】
触感操作要素は針も備えることができ、この針は、操作時に、操作スクリーンの穴を通じて内部に突出し、これによって点（交流）電荷の結合を増大させることが可能になる。したがって、操作スクリーンは金属から成ることもでき、この金属の導電性も利用することができる。
【００３９】
操作要素において磁石を使用することによって触覚における体験の質を向上させることも可能である。磁石は、一方では操作要素の停止及び／又は停止した操作要素の駆動のために用いられ、他方では磁気に基づく位置測定及び機能測定も可能である。
【００４０】
測定されたレベル、周波数、又は位相シフトの評価ユニットへの転送はデジタル又はアナログで行うことができる。
【００４１】
本発明による評価装置は、操作者による操作要素への接近と接触とを区別するのに適切であり得る。この区別によって生成される情報は、回路技術的にさらに考慮することができる。
【００４２】
操作要素を介して、ユーザが移動通信機器、特にＷＬＡＮが可能な又は特にＢｌｕｅｔｏｏｔｈシステムが設けられている移動電話を携帯しているか否かを確認することが可能である。操作要素を介して、接続に関連する、特に携帯電話に特有の信号を検出すると共に電界によって通信ユニットに送信する信号を生成することができる。ユーザには、この概念に基づいて、操作要素の操作の直後に、製品に特有の、又は操作要素の目的によって確定される情報を、ユーザの移動電話、ＰＤＡ、Ｂｌａｃｋｂｅｒｒｙ、ｉ−ｐｈｏｎｅ等に送ることができる。
【００４３】
操作要素は、低コスト回路として実施することができ、商品の包装、商品展示、又は画像媒体に直接設けることができる。操作情報を読み取るために設けられる電極構造体が好ましくは、ユーザを通じて効果的な電界橋絡が達成されるように配置されている。
【００４４】
本発明による操作要素回路は、特にＷＬＡＮシステムの副次機能モジュールとして機能することができ、この場合、直感的に確実に制御可能な動作、例えば包装に配置されているつまみのシンボルに接触することによって複雑な信号及びデータの転送動作を展開するのに用いることができる。
【００４５】
上述の低コストの回路は、特に、商品又は商品包装上に直接存在する印刷された回路として実施することができる。
【図面の簡単な説明】
【００４６】
【図１】ケーブルによって接続されていない、容量検出される操作要素が使用されている、切り替え命令を生成する本発明によるシステムの構成を具体的に説明する概略図である。
【図２】回転つまみの回転位置に応じて異なる電界事象がユーザに結合され、それによって、回転つまみの位置を、ユーザに結合された電気的事象に基づいて、又はユーザを含めて形成される電気システムの特性に基づいて確認することができる、本発明によるシステムの構成を具体的に説明する概略図である。
【図３】ユーザが電界源と減結合部との間で橋絡し、ユーザの導電特性が、このユーザによって選択的に操作される操作要素を介して変更され、その結果、ユーザに印加される電気的事象が、操作要素と協同で展開される入力操作に関する情報を提供する、ケーブルによって接続されていない、容量検出される操作要素が使用されている、切り替え命令を生成する本発明によるシステムの構成を具体的に説明するさらなる概略図である。
【図４】光学効果を生成するために必要とされる電気エネルギーを、ユーザに印加されると共に、このユーザによって操作要素の領域内に送られる電気的事象から引き出すことによって、操作要素の領域内で光学効果が生成される、図３と同様の本発明によるシステムの構成を具体的に説明するさらなる概略図である。
【図５】操作要素の操作中に触覚体験が生成される、図３及び図４と同様の本発明によるシステムの構成を具体的に説明するさらなる概略図である。
【図６】操作要素を介して２次元領域内の位置情報を得ることができる、本発明によるシステムの構成を具体的に説明する概略図である。
【図７】操作要素を介して１次元領域内の位置情報を得ることができる、本発明によるシステムの構成を具体的に説明する概略図である。
【図８ａ】本発明によるシステムの構成及び機能性をさらに具体的に説明する概略図である。
【図８ｂ】本発明によるシステムの構成及び機能性をさらに具体的に説明する概略図である。
【図８ｃ】本発明によるシステムの構成及び機能性をさらに具体的に説明する概略図である。
【図９】操作要素が運転者によって操作されているか又は同乗者によって操作されているかを確認することができる自動車における、本発明によるシステムの利用を具体的に説明する概略図である。
【図１】
2009535724.tif 000003
【図２】
2009535724.tif 000004
【図３】
2009535724.tif 000005
【図４】
2009535724.tif 000006
【図５】
2009535724.tif 000007
【図６】
2009535724.tif 000008
【図７】
2009535724.tif 000009
【図８ａ】
2009535724.tif 000010
【図８ｂ】
2009535724.tif 000011
【図８ｃ】
2009535724.tif 000012
【図９】
2009535724.tif 000013
【国際調査報告】
2009535724.tif 000014
2009535724.tif 000015
2009535724.tif 000016
2009535724.tif 000017
2009535724.tif 000018
2009535724.tif 000019
2009535724.tif 000020
2009535724.tif 000021